(57)【特許請求の範囲】
【請求項１】
送信部と、光ファイバの伝送路と、受信部とを備え、前記送信部からの光波長多重信号を前記伝送路を介して前記受信部で受信する光波長多重伝送装置において、
前記送信部は、
複数の送信ラインに直列接続された伝送装置および切替スイッチと、
前記各送信ラインに接続された予備チャネル切替部とからなり、
該予備チャネル切替部は、
前記送信ラインに並列に接続された送信信号選択部と、
前記伝送装置の故障を監視する障害監視部と、
該障害監視部からの指令に基づいて前記切替スイッチをオフにすると同時に予備チャネル切替スイッチをオンにする切替制御部とを備えていることを特徴とする光波長多重伝送装置。
【発明の詳細な説明】
【０００１】
【発明の属する技術分野】
この発明は、光波長多重伝送方法および装置に関し、特に、１つの光伝送路で複数波長を伝送し、そのうちの１又は複数波長を予備チャネルとして使用する光波長多重伝送方法および装置に関する。
【０００２】
【従来の技術】
図９は、従来の光波長多重伝送装置を示す構成図である。同図において、１は送信部、２は光ファイバの光伝送路、３は受信部、４は送信部１に設けられた予備チャネル切替部である。
【０００３】
次に動作について説明する。送信部１より複数の波長λ１〜λｎが１本の光ファイバの光伝送路２を介して受信部３に光波長多重伝送で伝送される。光伝送路２の光ファイバが例えば８波長を伝送可能な性能であるとすると、７波長は主チャネルとして通信運用に使用し、他の１つの波長は予備チャネルとして使用する。そして、送信部１で主チャネルの波長のいずれかに異常が生じた場合に予備チャネル切替部４で予備チャネルに切替えて使用するものである。この予備切替システムは、予備切替していない場合（主チャネルが正常動作）も、予備チャネル切替部４で予備切替した場合も常に主チャネルおよび予備チャネルともに使用して伝送を行っている。そして、予備チャネルに切替えた後も異常が発生した波長は切り離すことなくそのまま送信をを継続している。
【０００４】
【発明が解決しようとする課題】
上記のように、従来の光波長多重伝送方式の予備切替システムでは、常に主チャネルおよび予備チャネルともに使用して伝送を行っているので、伝送量が予備波長の分だけ犠牲になる。すなわち、８チャネルを送信可能であるにもかかわらず、予備で常に１チャネルを使用しているので主チャネルには７チャネルしか利用できないことになり、主チャネルの伝送量が１チャネル分犠牲になるという問題がある。さらにまた、予備チャネルに切替えた後も異常が発生したチャネルは切り離すことなくそのまま送信をを継続しているので、異常発生の波長の信号が受信部３で受信され、雑音等の要因になるという問題もあった。
【０００５】
この発明は上記のような課題を解決するためになされたもので、主チャネルの伝送量を犠牲にせず、予備切替を行うことのできる光波長多重伝送方法および装置を得ることを目的とする。
また、この発明は、異常が発生したチャネルを切り離すことにより雑音等が生じないようにした光波長多重伝送方法および装置を得ることを目的とする。
【０００６】
【課題を解決するための手段】
この発明に係る光波長多重伝送方法は、平常時は主チャネルのみで送信を行い、主チャネルのいずれかに故障が発生した場合は故障チャネルを予備チャネルに切替えると共に、故障チャネルの送信ラインは遮断するものである。
【０００７】
この発明に係る光波長多重伝送装置は、送信部は、複数の送信ラインに直列接続された伝送装置および切替スイッチと、各送信ラインに接続された予備チャネル切替部とからなり、予備チャネル切替部は、送信ラインに並列に接続された送信信号選択部と、伝送装置の故障を監視する障害監視部と、障害監視部からの指令に基づいて切替スイッチをオフにすると同時に予備チャネル切替スイッチをオンにする切替制御部とを備えているものである。
【０００８】
この発明に係る光波長多重伝送装置において、受信部は、複数の受信ラインに直列接続された受信装置と、各受信ラインに接続された予備チャネル切替部とからなり、予備チャネル切替部は、受信ラインに直列に接続された切替スイッチと、予備受信ラインに接続された受信装置と、各受信装置の故障を監視する障害監視部と、障害監視部からの指令に基づいて切替スイッチを受信ラインから予備受信ラインとに切替える切替制御部とを備えているものである。
【０００９】
この発明に係る光波長多重伝送装置は、伝送装置の送信ラインに切替スイッチが直列接続され、受信装置の受信ラインに自己監視信号選択スイッチが接続され、伝送装置の出力を自己監視信号選択スイッチを介して受信装置にループバックするように切替え、対向装置に信号を送信していないとき、受信装置により伝送装置の故障を自己監視するようにしたものである。
【００１０】
この発明に係る光波長多重伝送装置は、対向装置が信号を送信していないとき自己監視信号を利用して、受信部の障害監視を行うものである。
【００１１】
【発明の実施の形態】
以下、図面を参照してこの発明の実施の形態を詳細に説明する。なお、以下の実施の形態では波長がλ１〜λｎ，λｎ１のＮ＋１波長のうちのＮ（任意の数）の多重信号である場合について説明する。
実施の形態１．
図１は実施の形態１による光波長多重伝送装置を示す概略構成図であって、１は送信部、２は光ファイバの光伝送路、３は受信部、４は送信部１に設けられた予備チャネル切替部、ＳＷ１〜ＳＷｎは送信部１の送信ラインＴ１〜Ｔｎに接続された切替スイッチである。予備チャネル切替部４には、送信部１の送信ラインＴ１〜Ｔｎに接続された送信信号選択部５およびこの送信信号選択部５に接続された信号切替スイッチＳＷｎ１を備えている。
【００１２】
次に動作について説明する。
送信ラインＴ１〜ＴｎにＮ個の信号が入力され、切替スイッチＳＷ１〜ＳＷｎを介して光伝送路２に送信され、光伝送路２から波長多重信号として受信部３に伝送される。平常時は送信波長λ１〜λｎのＮチャネルで送信している。このＮチャネルが光波長多重伝送の運用のための信号を伝送する主チャネルである。
【００１３】
図１に示すように、Ｎチャネルで波長λ１〜λｎの波長多重信号が送信されているときは、切替スイッチＳＷ１〜ＳＷｎはオンであり、予備チャネル切替部４の切替スイッチＳＷｎ１はオフとなっている。このため、予備チャネル切替部４からは信号が送出されない。前記送信信号選択部５で各送信ラインＴ１〜Ｔｎを監視しており、いずれかの送信ライン（例えば送信ラインＴｎ）の伝送装置（図示せず）に異常が発生すると、図２に示すように、送信信号選択部５からの指令でその送信ラインＴｎの切替スイッチＳＷｎをオフにすると共に、予備用の切替スイッチＳＷｎ１をオンにする。これにより、異常発生のチャネルの送信が停止し、予備チャネルで送信される。
【００１４】
以上のように、この実施の形態１によれば、正常に波長多重信号が送信されているときは、切替スイッチＳＷ１〜ＳＷｎはオン、予備チャネル切替部４の切替スイッチＳＷｎ１はオフとなっているので、予備チャネルは使用されず、いずれかの伝送装置に異常が発生すると、その送信ラインの切替スイッチをオフにすると共に、予備チャネルをオンにし、故障発生のチャネルの送信が停止し、予備チャネルで送信される。したがって、主チャネルの伝送量を犠牲にせず、予備切替を行うことができると共に、故障が発生したチャネルを切り離すことにより雑音等が生じないようにすることができる。
【００１５】
実施の形態２．
図３は、この発明の実施の形態２による光波長多重伝送装置の送信部１を示す構成図である。同図において、ＳＡ１〜ＳＡｎは切替スイッチＳＷ１〜ＳＷｎの前段において送信ラインＴ１〜Ｔｎに接続された伝送装置である。前記予備チャネル切替部４には、前記送信信号選択部５に接続された伝送装置ＳＡｎ１と、伝送装置ＳＡｎ１に接続された切替スイッチＳＷｎ１と、伝送装置ＳＡ１〜ＳＡｎ、ＳＡｎ１の障害を監視する障害監視部６と、この障害監視部６からの信号に基づいて前記切替スイッチＳＷ１〜ＳＷｎ１を切替える切替制御部７とを備えている。
【００１６】
図４は、この発明の実施の形態２による光波長多重伝送装置の受信部３を示す構成図である。同図において、Ｌ１〜Ｌｎは送信部１の主チャネルからの受信波長λ１〜λｎを受信する受信ライン、ＲＡ１〜ＲＡｎは受信ラインＬ１〜Ｌｎに接続された受信装置、ＲＷ１〜ＲＷｎは受信装置ＲＡ１〜ＲＡｎに接続された切替スイッチである。８は予備チャネル切替部であって、受信装置ＲＡ１〜ＲＡｎ、ＲＡｎ１の障害を監視する障害監視部１０と、この障害監視部１０からの信号の基づいて切替スイッチＲＷ１〜ＲＷｎを切替える切替制御部１１とを備えている。予備チャネルの受信ラインであるＬｎ１は、受信装置ＲＡｎ１を介して前記切替スイッチＲＷ１〜ＲＷｎの切替接点１４に接続されている。
【００１７】
次に、上記送信部１および受信部３の動作を、伝送装置ＳＡｎで故障が発生した場合を想定して具体的に説明する。
伝送装置ＳＡｎで故障が発生すると、障害監視部６がこれを検出し、切替制御部７に障害発生を通知し、切替制御部７で切替開始を判断して伝送装置ＳＡ１〜ＳＡｎに対して対向装置である受信部３への切替要求通知を指令する。これにより、伝送装置ＳＡ１〜ＳＡｎで受信部３に切替要求を主信号を使用して送信する。受信部３では切替要求を受信し、受信装置ＲＡ１〜ＲＡｎから切替制御部１１に切替要求を通知する。
【００１８】
切替制御部１１から送信部１の送信信号選択部５に切替信号が送信され、送信信号選択部５により切替スイッチＳＷ１〜ＳＷｎ１のうちＳＷｎを鎖線のようにオフ、ＳＷｎ1 を鎖線のようにオンに切替制御する。これにより、送信信号選択部５で送信ラインＴｎを選択し、予備チャネル切替部４の伝送装置ＳＡｎ１から出力することができる。切替スイッチＳＷｎとＳＷｎ１の切替が終了すると切替制御部７から伝送装置ＳＡ１〜ＳＡｎに切替完了通知を送信する。
次に、送信部１の伝送装置ＳＡ１〜ＳＡｎからの切替完了通知を受信部３の受信装置ＲＡ１〜ＲＡｎで受信し、受信装置ＲＡ１〜ＲＡｎからの信号で切替制御部１１が切替スイッチＲＷ１〜ＲＷｎのうちＲＷｎを受信ラインＬｎ１の接点１４側（鎖線の位置）に切替える。これにより、送信部１では、主チャネルの送信波長λｎがオフ、予備チャネルの波長λｎがオンとなり、受信部３では主チャネルの受信ラインＬｎがオフ、予備チャネルの受信ラインＬｎ１がオンとなり、故障の伝送装置ＳＡｎからの信号が送受信されることがなくなる。
【００１９】
以上のように、この実施の形態２によれば、正常に波長多重信号が送信されているときは、切替スイッチＳＷ１〜ＳＷｎはオン、予備チャネル切替部４の切替スイッチＳＷｎ１はオフとなっているので、予備チャネルは使用されず、いずれかの伝送装置ＳＡ１〜ＳＡｎに異常が発生すると、その送信波長λ１〜λｎの切替スイッチをオフにすると共に、予備チャネルをオンにし、故障発生のチャネルの送信が停止し、予備チャネルで送信される。したがって、主チャネルの伝送量を犠牲にせず、予備切替を行うことができると共に、故障が発生したチャネルを切り離すことにより雑音等が生じないようにすることができる。
【００２０】
実施の形態３．
図５はこの発明の実施の形態３による光波長多重伝送装置を示す構成図であって、前記実施の形態２（図３）の構成から切替スイッチＳＷ１〜ＳＷｎを除き、前記送信信号選択部５からの制御信号で伝送装置ＳＡ１〜ＳＡｎ１の電源を断にするようにしたものである。例えば、図６に示すように、伝送装置ＳＡｎで故障が発生したとする送信信号選択部５の制御信号で伝送装置ＳＡｎの電源を断としてその伝送装置ＳＡｎからの出力を停止すると共に、送信信号選択部５で送信ラインＴｎを選択し、予備チャネル切替部４の伝送装置ＳＡｎ１から出力する。
【００２１】
以上のように、この実施の形態３によれば、いずれかの伝送装置ＳＡ１〜ＳＡｎに異常が発生すると、その送信波長λ１〜λｎの伝送装置ＳＡ１〜ＳＡｎの電源を断とするので、主チャネルの伝送量を犠牲にせず、予備切替を行うことができると共に、故障が発生したチャネルを電源断で切り離すことにより雑音等が生じないようにすることができる。
【００２２】
実施の形態４．
図７は、この発明の実施の形態４による光波長多重伝送装置の送受信部を示す構成図である。図７において、１２は送受信部、１３はこの送受信部１２に設けられた自己監視信号選択スイッチであって、送信ラインＴの伝送装置ＳＡと切替スイッチＳＷとの間に接続されている。ＲＡは自己監視信号選択スイッチ１３に接続された受信装置である。
【００２３】
次に動作について説明する。
図７に示すように、切替スイッチＳＷをオフにし、自己監視信号選択スイッチ１３を送信ラインＴ側に切替えると、波長λの送信信号が自己監視信号選択スイッチ１３から受信装置ＲＡに折り返されると共に、受信ラインＬからの信号は受信されないようになっている。この折り返し信号を使用し、対向より信号が送信されていないときも受信装置ＲＡにより、伝送装置ＳＡの故障の有無を自己監視できる。
【００２４】
また、図８に示すように、切替スイッチＳＷをオンにし、自己監視信号選択スイッチ１３を受信ラインＬ側に切替えると、受信信号が自己監視信号選択スイッチ１３から受信装置ＲＡで受信される。つまり、自己監視信号選択スイッチ１３を利用して受信を行うと共に、送信信号の自己監視も可能にしたものである。
【００２５】
以上のように、この発明の実施の形態４によれば、送受信部１２の受信装置ＲＡに送信信号をループバックして自己監視するので、対向装置に信号を送信していない場合も別途に故障監視装置を設けることなく、伝送装置ＳＡの故障の有無を監視できる。また、対向により信号が送信されていないときも受信装置ＲＡに信号を入力し、受信装置ＲＡを信号が通った状態で、監視することができる。
【００２６】
以上、この発明の実施の形態を図面により詳述してきたが、具体的な構成はこの実施の形態に限られるものではなく、この発明の要旨を逸脱しない範囲の設計の変更等があってもこの発明に含まれる。
例えば、図３および図４に示す実施の形態２において、予備チャネルを２チャネル以上とし、２チャネル以上の故障に対応する構成も可能である。すなわち、送信部１において、送信信号選択部５、伝送装置ＳＡｎ１、切替スイッチＳＷｎ１の回路を２本以上設け、受信部３において、受信ラインＬｎ１および受信装置ＲＡｎ１の回路を２本以上設けた構成とすることができる。
【００２７】
【発明の効果】
以上のように、この発明によれば、正常に波長多重信号が送信されているときは、主チャネルの切替スイッチはオン、予備チャネルの切替スイッチはオフとなっているので、平常時は予備チャネルは使用されず、したがって、主チャネルの伝送量を犠牲にせず、予備切替を行うことができる。また、いずれかの伝送装置に異常が発生すると、そのチャネルの切替スイッチをオフにすると共に予備チャネルで送信されるようにしたので、故障が発生したチャネルを切り離すことにより雑音等が生じないようにすることができる効果がある。
【００２８】
この発明によれば、いずれかの伝送装置に異常が発生すると、その伝送装置の電源を断とするので、切替スイッチを設けることなく主チャネルの伝送量を犠牲にせず、予備切替を行うことができると共に、故障が発生したチャネルを電源断で切り離すことができる効果がある。
また、送受信部の受信装置に送信信号をループバックして自己監視するので、別途に故障監視装置を設ける必要がなく、伝送装置の故障の有無を監視できる効果がある。
【図面の簡単な説明】
【図１】  この発明の実施の形態１による光波長多重伝送装置を示す構成図である。
【図２】  実施の形態１による切替え動作を示す構成図である。
【図３】  この発明の実施の形態２による光波長多重伝送装置の送信部を示す構成図である。
【図４】  この発明の実施の形態２による光波長多重伝送装置の受信部を示す構成図である。
【図５】  この発明の実施の形態３による光波長多重伝送装置を示す構成図である。
【図６】  実施の形態３による切替え動作を示す構成図である。
【図７】  この発明の実施の形態４による光波長多重伝送装置の送受信部を示す構成図である。
【図８】  実施の形態４の切替え動作を示す構成図である。
【図９】  従来の光波長多重伝送装置を示す構成図である。
【符号の説明】
１  送信部、２  光伝送路、３  受信部、４  予備チャネル切替部、５  送信信号選択部、６  障害監視部、７  切替制御部、８  予備チャネル切替部、１０障害監視部、１１  切替制御部、１２  送受信部、１３  自己監視信号選択スイッチ、１４  切替接点、Ｌ１〜Ｌｎ、Ｌｎ１  受信ライン、ＲＡ，ＲＡ１〜ＲＡｎ、ＲＡｎ１  受信装置、ＲＷ１〜ＲＷｎ  切替スイッチ、ＳＡ，ＳＡ１〜ＳＡｎ、ＳＡｎ１  伝送装置、ＳＷ，ＳＷ１〜ＳＷｎ，ＳＷｎ１  切替スイッチ、Ｔ，Ｔ１〜Ｔｎ  送信ライン。
【図１】
0003739643.tif 000002
【図２】
0003739643.tif 000003
【図３】
0003739643.tif 000004
【図４】
0003739643.tif 000005
【図５】
0003739643.tif 000006
【図６】
0003739643.tif 000007
【図７】
0003739643.tif 000008
【図８】
0003739643.tif 000009
【図９】
0003739643.tif 000010